(57)【特許請求の範囲】
【請求項１】
底面板の左端縁に、左側面板、該左側面板よりも幅広の左内面板および貼着片が順に折り目を介して連設されるとともに、底面板の右端縁に、右側面板、該右側面板よりも幅広の右内面板および貼着片が順に折り目を介して連設され、また、前記左内面板および右内面板には、それぞれ左右の側面板との折り目から異なる間隔をおいて中間折り目が形成されるとともに、該中間折り目を挟んで収容する容器の外径に対応する複数個の楕円状の容器支持穴がそれぞれ左右対向して形成されてなり、前記左内面板および右内面板をその中間折り目に沿ってく字状に折曲するとともに、各貼着片を左右の側面板もしくは底面板に貼着した際、左内面板および右内面板にそれぞれ対向して形成された各容器支持穴の周縁部が、容器の外周面の略左右一半部をそれぞれ異なる高さ位置で保持することを特徴とする容器ホルダー。
【請求項２】
前記底面板の左右端縁近傍には、それぞれ左端縁および右端縁を始点とする複数個のコ字状切り込みが設定間隔をおいて形成され、また、底面板と左右の側面板との各折り目がコ字状切り込みの始点に連続するように間欠的に形成されていることを特徴とする請求項１記載の容器ホルダー。
【請求項３】
前記底面板の上下端縁にそれぞれ貼着片が折り目を介して連設されるとともに、左右の側面板の上下端縁にそれぞれ折り込み片が折り目を介して連設されていることを特徴とする請求項１または２記載の容器ホルダー。
【発明の詳細な説明】
【０００１】
【発明の属する技術分野】
本発明は、バイアルびんなどの容器を輸送する際に使用する容器ホルダーに関するものである。
【０００２】
【従来の技術】
従来、バイアルびんなどの容器を輸送するに際し、容器ホルダーが使用されている。
【０００３】
この容器ホルダーは、底面板の長手方向中央部に仕切り板を備えるとともに、左右の側面板の内面にく字状に折曲された左右の内面板を備えて構成されており、左右の内面板には、容器の直径に対応する複数個の楕円状容器支持穴が形成されている。そして、容器を仕切り板に沿いつつ、内面板に形成された各容器支持穴にそれぞれ落とし込むことにより、容器の外周面の左右一半部が内面板の容器支持穴の周縁部によって保持されるように設定されている。このような容器ホルダーに設定個数の容器が保持された後、輸送容器に容器ホルダーが収容されて適宜輸送される（例えば、出願人の出願に係る実公昭５７−４９７１０号公報参照）。
【０００４】
【発明が解決しようとする課題】
ところで、前述した容器ホルダーに収容された容器は、その外周面の略左右一半部がく字状に折曲された左右一方の内面板の容器支持穴の周縁部によって保持されるとともに、容器支持穴と対向する側において、仕切り板に線接触しているものである。このため、容器ホルダーの前後方向に意図しない外力が作用した場合、容器は、内面板の容器支持穴の周縁部を支点として前後方向に回動し、横倒れするという問題があった。
【０００５】
また、容器の底壁が薄くなることに伴い、誤って落下させた場合、落下時の衝撃を底面板が吸収することができず、容器の底壁が損傷し易いという欠点もあった。
【０００６】
本発明は、このような問題点に鑑みてなされたもので、容器の横倒れを確実に防止することのできる容器ホルダーを提供するものである。
【０００７】
【課題を解決するための手段】
本発明は、底面板の左端縁に、左側面板、該左側面板よりも幅広の左内面板および貼着片が順に折り目を介して連設されるとともに、底面板の右端縁に、右側面板、該右側面板よりも幅広の右内面板および貼着片が順に折り目を介して連設され、また、前記左内面板および右内面板には、それぞれ左右の側面板との折り目から異なる間隔をおいて中間折り目が形成されるとともに、該中間折り目を挟んで収容する容器の外径に対応する複数個の楕円状の容器支持穴がそれぞれ左右対向して形成されてなり、前記左内面板および右内面板をその中間折り目に沿ってく字状に折曲するとともに、各貼着片を左右の側面板もしくは底面板に貼着した際、左内面板および右内面板にそれぞれ対向して形成された各容器支持穴の周縁部が、容器の外周面の略左右一半部をそれぞれ異なる高さ位置で保持することを特徴とするものである。
【０００８】
本発明によれば、折り目に沿って折り込むとともに、所定部分を貼着して容器ホルダーを組み立てた場合、内方に突出するようにく字状に折曲された左内面板および右内面板の各中間折り目がなす頂点は異なる高さ位置にある。したがって、左右の内面板の対向する容器支持穴に容器を収納した場合、容器の外周面の略左右一半部が左内面板に形成された容器支持穴の周縁部によって保持されるとともに、その容器の外周面の略左右他半部が、異なる高さ位置において、左内面板の容器支持穴と対向して右内面板に形成された各容器支持穴の周縁部によって保持される。
【０００９】
この結果、容器ホルダーに前後方向の外力が作用したとしても、異なる高さ位置で保持されている容器が横倒れすることを確実に防止することができる。
【００１０】
本発明において、前記底面板の左右端縁近傍には、それぞれ左端縁および右端縁を始点とする複数個のコ字状切り込みが設定間隔をおいて形成され、また、底面板と左右の側面板との各折り目がコ字状切り込みの始点に連続するように間欠的に形成されていると、容器ホルダーを組み立てた際、左右の側面板の下端縁に連続してコ字状切り込みによる支持片が垂設される。したがって、容器ホルダーを誤って落下させたとしても、まず、支持片が床面に接触して衝撃を一部吸収することから、底面板に落下時の衝撃が直接作用することがなく、容器の破損を可及的に防止することができる。
【００１１】
本発明において、前記底面板の上下端縁にそれぞれ貼着片が折り目を介して連設されるとともに、左右の側面板の上下端縁にそれぞれ折り込み片が折り目を介して連設されていると、左右の折り込み片にそれぞれ貼着片を貼着して容器ホルダーを組み立てた際、容器ホルダーは、箱状に一体化される。このため、左右の側面板を底面板に対して垂直に保持する必要がなく、組み立てた容器ホルダーを輸送容器に収容する場合、作業を簡単に行うことができる。
【００１２】
【発明の実施の形態】
以下、本発明の実施例の形態を図面に基づいて説明する。
【００１３】
図１には、本発明の容器ホルダー１の一実施形態が示されている。
【００１４】
この容器ホルダー１は、バイアルびんなどの容器Ｂ（図３参照）を保持するものであり、コートボールを図４に示す展開図にしたがって打ち抜いた後、折り目に沿って折り込むとともに、所定部分を貼着して組み立てられる。そして、容器ホルダー１に設定個数の容器Ｂを収納した後、２個の容器ホルダー１を一組として別途組み立てられた輸送容器１０（図２参照）に収容されて輸送される。
【００１５】
この容器ホルダー１は、図４の展開図において、上下端縁にそれぞれ折り目ｄを介して貼着片６が連設された底面板２の左端縁に左側面板３Ｌ、該左側面板３Ｌよりも幅広の左内面板４Ｌおよび貼着片５が順に折り目ａ，ｂ，ｃを介して連設され、また、底面板２の右端縁に右側面板３Ｒ、該右側面板３Ｒよりも幅広の右内面板４Ｒおよび貼着片５が順に折り目ａ，ｂ，ｃを介して連設され、さらに、左右の側面板３Ｌ，３Ｒの上下端縁にそれぞれ折り込み片７が折り目ｅを介して連設されて構成されている。そして、これらの左側面板３Ｌ、左内面板４Ｌおよび貼着片５と、右側面板３Ｒ、右内面板４Ｒおよび貼着片５とは、底面板２に関して左右対称に形成されている。
【００１６】
一方、左内面板４Ｌには、貼着片５との折り目ｃ近傍において、中間折り目ｆが形成されるとともに、この中間折り目ｆを挟んで複数個の楕円状容器支持穴４Ｌａが形成されている。同様に、右内面板４Ｒにも、右側面板３Ｒとの折り目ｂ近傍において、中間折り目ｇが形成されるとともに、この中間折り目ｇを挟んで複数個の楕円状容器支持穴４Ｒａが形成されている。
【００１７】
各容器支持穴４Ｌａ，４Ｒａは、収容する容器Ｂをそれぞれ中心線に対して設定角度で切断した際に形成される楕円に対応するものであって、容器Ｂの直径に略相当する短軸を中間折り目ｆ，ｇに位置させ、該短軸を共通として中間折り目ｆ，ｇの左方に長軸の小さな楕円の半分が、その右方に長軸の大きな楕円の半分がそれぞれ形成されており、全体として略卵形状に形成されている。
【００１８】
ここで、左内面板４Ｌの容器支持穴４Ｌａと、右内面板４Ｒの容器支持穴４Ｒａは、同一形状であり、左右対向して形成されているが、左内面板４Ｌにおける中間折り目ｆと折り目ｂとの間隔は、右内面板４Ｒにおける中間折り目ｇと折り目ｂとの間隔と相違しており、また、長軸の大きな楕円を同一方向に向けて形成しているため、左右非対称の位置にある。
【００１９】
さらに、底面板２は、その左右端縁近傍において、それぞれ左端縁および右端縁を始点とする複数個のコ字状切り込みｈが設定間隔をおいて形成されている。そして、底面板２と左右の側面板３Ｌ，３Ｒとの折り目ａ，ａは、前述したコ字状切り込みｈの始点に連続するように間欠的に形成されている。
【００２０】
ここで、底面板２の左右端縁近傍に形成された複数個のコ字状切り込みｈは、左右対称に形成されている。
【００２１】
次に、このように構成された容器ホルダー１の組立要領について説明する。
【００２２】
まず、図４の展開図にしたがってコートボールを打ち抜いた後、底面板２を基準に、底面板２に対して左側面板３Ｌを折り目ａに沿って谷折りするとともに、左側面板３Ｌに対して左内面板４Ｌを折り目ｂに沿って谷折りする。また、左内面板４Ｌを中間折り目ｆに沿って谷折りするとともに、左内面板４Ｌに対して貼着片５を山折りする。次いで、貼着片５の内面に接着剤を塗布し、貼着片５をその外端縁が底面板２と左側面板３Ｌとの折り目ａに沿うように、左内面板３Ｌの内面に貼着する。
【００２３】
同様に、底面板２に対して右側面板３Ｒを折り目ａに沿って谷折りするとともに、右側面板３Ｒに対して右内面板４Ｒを折り目ｂに沿って谷折りする。また、右内面板４Ｒを中間折り目ｇに沿って谷折りするとともに、右内面板４Ｒに対して貼着片５を山折りする。次いで、貼着片５の内面に接着剤を塗布し、貼着片５をその外端縁が底面板２と右側面板３Ｒとの折り目ａに沿うように、右内面板３Ｒの内面に貼着する。
【００２４】
次いで、底面板２に対して各貼着片６を折り目ｄに沿って谷折りするとともに、左右の側面板３Ｌ，３Ｒに対して各折り込み片７をそれぞれ折り目ｅに沿って谷折りした後、各貼着片６の内面に接着剤を塗布し、貼着片６を左右の折り込み片７，７の外面に貼着することにより、図１に示すように、容器ホルダー１を形成する。
【００２５】
この状態では、上方から見て、左右の内面板４Ｌ，４Ｒにそれぞれ形成された各楕円状の容器支持穴４Ｌａ，４Ｒａによる略半円状の切欠が対向しており、また、貼着片６および折り込み片７，７を除去した状態で正面から見て、中間折り目ｆ，ｇを頂点とする三角形の斜辺を形成するように、左右の内面板４Ｌ，４Ｒがく字状に折曲されて内方に突出している。ここで、中間折り目ｆ，ｇの高さ位置は異なっている（図３参照）。
【００２６】
また、底面板２に形成されたコ字状切り込みｈにより、左右の側面板３Ｌ，３Ｒを折り目ａに沿って谷折りした際、左右の側面板３Ｌ，３Ｒの下端縁に連続して支持片３１（図３参照）が垂設される。このため、底面板２は床面から離隔した位置に支持されている。
【００２７】
このようにして容器ホルダー１が組み立てられると、左右の内面板４Ｌ，４Ｒの、対向している各容器支持穴４Ｌａ，４Ｒａに順次容器Ｂを収容することができる。この場合、各容器Ｂは、図３に示すように、容器Ｂの外周面の略左半部が、左内面板４Ｌに形成された容器支持穴４Ｌａの周縁部によって保持され、また、容器Ｂの外周面の略右半部が、右内面板４Ｒに形成された容器支持穴４Ｒａの周縁部によって保持される。しかも、前述したように、く字状に折曲された左右の内面板４Ｌ，４Ｒの各頂点（中間折り目ｆ，ｇ）の高さは異なっているため、容器Ｂの外周面の略左右各一半部は、前述した容器支持穴４Ｌａ，４Ｒａの周縁部によって異なる高さ位置でそれぞれ保持されている。
【００２８】
容器ホルダー１に設定個数の容器Ｂが収容されると、図２に示すように、２個の容器ホルダー１を一組として別途組み立てられた輸送容器１０に収納され、適宜輸送される。
【００２９】
ここで、輸送時などにおいて、容器ホルダー１に前後方向の外力が作用したとしても、容器Ｂは、左右各一半部がそれぞれ異なる高さ位置で保持されているため、前後方向に横倒れすることが防止され、確実に正立状態に保持することができる。
【００３０】
また、輸送容器１０に容器ホルダー１を収容する際などにおいて、容器ホルダー１を誤って落下させたとしても、まず、支持片３１が床面に接地して衝撃を一部吸収することから、底面板２に落下時の衝撃が直接作用することはない。このため、容器Ｂが落下時の衝撃によって破損することを可及的に防止することができる。
【００３１】
なお、前述した実施形態においては、各貼着片５をそれぞれ左右の側面板３Ｌ，３Ｒの内面に貼着した場合を例示したが、底面板２の内面に貼着させるようにしてもよい。この場合は、貼着片５と左右の内面板４Ｌ，４Ｒとの折り目ｃを、底面板２と左右の側面板３Ｌ，３Ｒとの折り目ａに沿わせて貼着すればよい。
【００３２】
【発明の効果】
以上のように本発明によれば、容器ホルダーを組み立て、左右の内面板の対向する容器支持穴に容器を収納した場合、容器の外周面の略左右一半部が左内面板に形成された容器支持穴の周縁部によって保持されるとともに、その容器の外周面の略左右他半部が、異なる高さ位置において、左内面板の容器支持穴と対向して右内面板に形成された各容器支持穴の周縁部によって保持されることから、容器ホルダーに前後方向の外力が作用したとしても、異なる高さ位置で保持されている容器が横倒れすることを確実に防止することができる。
【図面の簡単な説明】
【図１】本発明の容器ホルダーの一実施形態を示す斜視図である。
【図２】図１の容器ホルダーを輸送容器に収容する工程を示す説明図である。
【図３】図１の容器ホルダーの縦断面図である。
【図４】図１の容器ホルダーの展開図である。
１  容器ホルダー
２  底面板
３Ｌ，３Ｒ  （左右）側面板
３１  支持片
４Ｌ，４Ｒ  （左右）内面板
４Ｌａ，４Ｒａ  容器支持穴
５，６  貼着片
７  折り込み片
ａ，ｂ，ｃ，ｄ，ｅ  折り目
ｆ，ｇ  中間折り目
ｈ  コ字状切り込み
【図１】
0004430802.tif 000002
【図２】
0004430802.tif 000003
【図３】
0004430802.tif 000004
【図４】
0004430802.tif 000005